(57)【要約】【課題】ポンプを使用せず、洗浄液の入った洗浄槽を動かすことなく、洗浄槽に洗浄液を供給してシェーバーヘッドを洗浄し得る電気かみそり洗浄装置を提供する。【解決手段】上面に開口を有する本体１と、開口に臨ませて本体１内に配設される洗浄槽５と、本体１に備えられ、開口を介して洗浄槽５内に電気かみそりＡのシェーバーヘッドＢを挿入した状態で電気かみそりを保持する保持部８と、洗浄槽５を囲繞し、洗浄槽５の底面より低い水位まで洗浄液を貯留した貯留槽１２と、貯留槽１２の水位を上昇させ、洗浄槽５内の電気かみそりのシェーバーヘッドＢを洗浄液で浸漬させる水位変更手段とを備える。この構成によると、貯留槽１２内の洗浄液の水位を上昇させることで、洗浄槽５内の電気かみそりＡのシェーバーヘッドＢを洗浄液内に浸漬することができ、洗浄液の入った槽を移動させる従来技術に比較して、洗浄液が溢れるのを防止することができる。【選択図】図１
2011072472.tif 000002
【特許請求の範囲】
【請求項１】
上面に開口を有する本体と、前記開口に臨ませて前記本体内に配設される洗浄槽と、前記本体に備えられ、前記開口を介して前記洗浄槽内に電気かみそりのシェーバーヘッドを挿入した状態で電気かみそりを保持する保持部と、前記洗浄槽を囲繞し、前記洗浄槽の底面より低い水位まで洗浄液を貯留した貯留槽と、前記貯留槽の水位を上昇させ、前記洗浄槽内の電気かみそりのシェーバーヘッドを洗浄液で浸漬させる水位変更手段とを備えたことを特徴とする電気かみそり洗浄装置。
【請求項２】
前記水位変更手段が、略上下方向に移動され、洗浄液内に浸漬される容積変更体であることを特徴とする請求項１記載の電気かみそり洗浄装置。
【請求項３】
前記水位変更手段が、前記貯留槽に一端が接続された水路と、該水路の他端に接続される水槽と、該水槽内に略上下方向に移動可能に配設され、洗浄液内に浸漬される容積変更体とで構成されることを特徴とする請求項１記載の電気かみそり洗浄装置。
【請求項４】
前記容積変更体は、前記水槽の開口を封止し、前記水槽内の水を押し出す方向に摺動するように構成されることを特徴とする請求項３記載の電気かみそり洗浄装置。
【請求項５】
前記洗浄槽は、洗浄液が前記貯留槽から流入する流入口を有し、該流入口は、前記貯留槽から前記洗浄槽へ洗浄液を流入させる際に開く流入弁が備えられたことを特徴とする請求項１から請求項４のいずれかに記載の電気かみそり洗浄装置。
【請求項６】
上面に開口を有する本体と、該本体内に配設され、底面に形成される流入口を有する洗浄槽と、前記流入口に一端が接続され、前記洗浄槽へ洗浄液を流入させる際に開く流入弁を備えた流入路と、前記流入路の他端が接続され、開口を有する水槽と、該水槽の開口を封止し、前記水槽内の水を押し出す方向に摺動する容積変更体とを備えたことを特徴とする電気かみそり洗浄装置。
【発明の詳細な説明】
【技術分野】
【０００１】
本発明は、電気かみそりのシェーバーヘッドを洗浄する洗浄装置に関するものである。
【背景技術】
【０００２】
近年、水洗いだけでは落ちにくかった内刃や外刃に付着した毛屑や皮脂を洗浄するために、電気かみそりのシェーバーヘッドを洗浄する電気かみそり洗浄装置が開発された。
【０００３】
この電気かみそり洗浄装置は、本体内に設けられた洗浄槽内に電気かみそりのシェーバーヘッドを挿入した状態で電気かみそりを保持し、本体内に収納した貯留槽から洗浄槽内に洗浄液をポンプで汲み上げ、シェーバーヘッドの内刃を駆動させてシェーバーヘッド内を洗浄するように構成されている。
【０００４】
この構成では、洗浄液を汲み上げるポンプが必要となるため、ポンプを駆動させるための電力、ポンプを駆動させるために使用する電子部品類の防水機構、及びポンプの残留洗浄液を取り除くためのメンテナンスなどが必要となるという問題点があった。
【０００５】
この問題を解決するために、シェーバーヘッドが下方を向くように電気かみそりを本体に保持した状態で、シェーバーヘッドの下方に位置する洗浄液の入った洗浄槽を上方に移動させて、シェーバーヘッドを洗浄液内に浸漬し、シェーバーヘッドの内刃を駆動させてシェーバーヘッド内を洗浄する電気かみそり洗浄装置が提案された（特許文献１）。
【先行技術文献】
【特許文献】
【０００６】
【特許文献１】特開２００８−２１２５７４号公報
【発明の概要】
【発明が解決しようとする課題】
【０００７】
特許文献１は、洗浄槽を上下に移動させる構成となっているため、洗浄槽を上下に移動させた際に、洗浄液の液面が波立って洗浄液が飛沫となって飛散する虞がある。また、使用者が洗浄槽に洗浄液を誤って規定以上に入れた場合や電気かみそり洗浄装置を傾けて設置した場合等には、シェーバーヘッドを洗浄液に浸漬させた際に、洗浄液が洗浄槽から溢れ出る虞がある。洗浄槽は本体内に配設されているため、洗浄液が溢れたことを外部から確認することができず、本体内が不衛生になると共に、こぼれて乾燥した洗浄液の清掃が困難であるという問題がある。
【０００８】
本発明は、ポンプを使用せず、洗浄液の入った洗浄槽を動かすことなく、洗浄槽内に洗浄液を供給してシェーバーヘッドを洗浄し得る電気かみそり洗浄装置を提供するものである。
【課題を解決するための手段】
【０００９】
上面に開口を有する本体と、前記開口に臨ませて前記本体内に配設される洗浄槽と、前記本体に備えられ、前記開口を介して前記洗浄槽内に電気かみそりのシェーバーヘッドを挿入した状態で電気かみそりを保持する保持部と、前記洗浄槽を囲繞し、前記洗浄槽の底面より低い水位まで洗浄液を貯留した貯留槽と、前記貯留槽の水位を上昇させ、前記洗浄槽内の電気かみそりのシェーバーヘッドを洗浄液で浸漬させる水位変更手段とを備えたことを特徴とする。
【００１０】
前記水位変更手段が、略上下方向に移動され、洗浄液内に浸漬される容積変更体であることが好ましい。
【００１１】
前記水位変更手段が、前記貯留槽に一端が接続された水路と、該水路の他端に接続される水槽と、該水槽内に略上下方向に移動可能に配設され、洗浄液内に浸漬される容積変更体とで構成されることが好ましい。
【００１２】
前記水槽の開口を封止し、前記水槽内の水を押し出す方向に摺動する容積変更体とで構成されることが好ましい。
【００１３】
前記洗浄槽は、洗浄液が前記貯留槽から流入する流入口を有し、該流入口は、前記貯留槽から前記洗浄槽へ洗浄液を流入させる際に開く流入弁が備えられることが好ましい。
【００１４】
または、上面に開口を有する本体と、該本体内に配設され、流入口を有する洗浄槽と、前記流入口に一端が接続され、前記洗浄槽へ洗浄液を流入させる際に開く流入弁を備えた流入路と、前記流入路の他端が接続され、開口を有する水槽と、該水槽の開口を封止し、前記水槽内の水を押し出す方向に摺動する容積変更体とで構成されることを特徴とする。
【発明の効果】
【００１５】
本発明の請求項１によると、貯留槽内の洗浄液の水位を上昇させることで、洗浄槽内の電気かみそりのシェーバーヘッドを洗浄液内に浸漬することができ、洗浄液の入った槽を移動させる従来技術に比較して、洗浄液が溢れるのを防止することができる等の効果を奏する。
【００１６】
請求項２によると、モーターによる可動部分がすべて本体内に配設されているので安全性を向上することができる等の効果を奏する。
【００１７】
請求項３によると、容積変更体が浸漬される水槽を貯留槽と別体に構成しているので、水槽を貯留槽と離間した任意の位置に配設することができ、設計上、デザイン状の制約を低減することができる等の効果を奏する。
【００１８】
請求項４によると、小さい面積の水槽を用いて貯留槽の洗浄液の水位を大きく上昇させることができる等の効果を奏する。
【００１９】
請求項５によると、流入口に流入弁を備えることで、流入口から洗浄液が逆流することを防ぐことができ、貯留槽に貯留された洗浄液に毛屑や皮脂が混入されることを防ぐことができる等の効果を奏する。
【００２０】
請求項６によると、貯留槽を不要とすることができ、構成を簡素化することができると共に、使用する洗浄液の量を少なくすることができる等の効果を奏する。
【図面の簡単な説明】
【００２１】
【図１】本発明の第一実施形態における断面図である。
【図２】同容積変更体を洗浄液に浸漬させた状態の断面図である。
【図３】同カバーを押し上げた状態における側面図である。
【図４】第二実施形態における断面図である。
【図５】第三実施形態における断面図である。
【図６】第四実施形態における洗浄液を水槽に充填させた状態の断面図である。
【図７】同ピストンを押し下げた状態の断面図である。
【図８】第一実施形態の変形例を示し、水位変更手段として水槽を封止するピストンを用いた場合の断面図である。
【図９】同ピストンを押し下げた状態の断面図である。
【図１０】同カバーを押し上げた状態における側面図である。
【図１１】第二実施形態の変形例を示し、水位変更手段として水槽を封止するピストンを用いた場合の断面図である。
【図１２】第三実施形態の変形例を示し、水位変更手段として水槽を封止するピストンを用いた場合の断面図である。
【発明を実施するための形態】
【００２２】
本発明の第一実施形態について図１乃至図３に基づいて以下に詳述する。
【００２３】
１は上面に開口を有する本体で、上面開口及び下面開口を有するカバー２と、該カバー２下面開口を閉塞する載置台３とで構成される。図３において、左側から本体１を見た場合を正面とし、前記載置台３上面の左右両端には、前記カバー２を略上下方向に摺動自在に遊嵌支持する支柱４が配設され、該支柱４の間には、後述する貯留槽１２が収納できる空間が形成されている。前記カバー２は、図示しないバネにより上方に向かって付勢されており、前記本体１には、前記カバー２を押し下げて、前記カバー２下面開口が前記載置台３によって閉塞された状態を保持する図示しない固定機構が設けられ、該固定機構は図示しない解除機構によってロックを解除できるようになっている。
【００２４】
５は前記カバー２内に装着される洗浄槽で、上面開口に臨ませて配設され、前記本体１上面開口を介して、シェーバーヘッドＢを下方に向けた状態の電気かみそりＡが挿入される洗浄室６が本体１内に形成されている。前記洗浄槽５には、底面に多数の孔が形成されており、該孔により後述する洗浄液の流出入口７を形成している。
【００２５】
８は前記本体１の洗浄室６後方位置に形成される保持部で、電気かみそりＡの両側面を挟持する挟持部９と、電気かみそりＡの充電端子部Ｃに挿入される充電端子１０を有しており、前記保持部８により電気かみそりＡを前記洗浄室６内に挿入した状態に保持するようになっている。前記保持８は、上部が上下動可能に構成されており、上部を上方に移動させた状態で、電気かみそりＡの充電端子部Ｃに挿入させた充電端子１０を抜くようになっている。
【００２６】
電気かみそりＡは、前記挟持部９による挟持及び充電端子部Ｃへの充電端子１０の挿入により保持されるが、万一保持が不十分で落下した場合でも、洗浄室６下方に洗浄槽５が配設されているため、電気かみそりＡが後述する貯留槽１２内に落下するのを防ぐことができる。
【００２７】
また、図１乃至図３及び図６乃至図１０に示すように、前記本体１の洗浄室６には、電気かみそりＡが前記保持部８に保持された状態で、シェーバーヘッドＢの乾燥を行う送風機１１が備えられている。
【００２８】
１２は前記カバー２を押し上げた状態で、前記載置台３の正面から載置台３上に載置される貯留槽で、所定水位まで洗浄液が貯留されている。前記貯留槽１２は、前記カバー２を押し下げられた状態で、前記カバー２に形成された図示しない位置決め機構により、前記貯留槽１２の内側に前記洗浄槽５が位置するように位置決めされる。
【００２９】
１３は前記貯留槽１２に内設され、前記貯留槽１２内の洗浄液の水位を変更する水位変更手段となる容積変更体で、本発明の実施形態ではブロー成形により形成され、洗浄液よりも小さい比重に形成されている。前記本体１内には制御部１４と該制御部１４によって制御されるモーター１５が配設されており、前記容積変更体１３は、前記モーター１５の回転軸先端に取り付けられたピニオン１６に噛み合うラック１７を有している。前記モーター１５の回転により、前記容積変更体１３は洗浄液内に浸漬されて、前記貯留槽１２の水位が上昇し、前記洗浄槽５の流出入口７から前記洗浄槽５内に洗浄液が流入するようになっている。
【００３０】
１８は前記貯留槽１２内の洗浄液の水位を検出する水位検出センサーで、シェーバーヘッドＢが浸漬する水位を検出する位置に配設されており、前記制御部１４は、前記水位検出センサー１８が洗浄液を検出する位置まで前記容積変更体１３を押し下げるように前記モーター１５の回転を制御するようになっている。
【００３１】
容積変更体１３は洗浄液よりも高い位置で保持されている状態を維持する時間の方が長いため、容積変更体１３を軽量に形成することにより、モーター１５にかかる負荷を軽くすることができる。また、容積変更体１３を洗浄液よりも比重が小さく形成しているので、故障等により、モーター１５が駆動できない状態になった場合でも、容積変更体１３自身の浮力により上昇し、シェーバーヘッドＢが洗浄液に浸漬された状態を維持することはない。
【００３２】
電気かみそりＡのシェーバーヘッドＢの洗浄を行う際、使用者は電気かみそりＡを保持部８によって保持させ、充電端子１０を電気かみそりＡの充電端子部Ｃに挿入して電気かみそりＡの充電が行われる。本体１には、電気かみそりＡのシェーバーヘッドＢの洗浄を開始するための図示しない洗浄スイッチが備えてあり、洗浄スイッチからの出力によって、制御部１４はモーター１５を回転させて容積変更体１３を洗浄液に浸漬し、洗浄槽５内の洗浄液の水位を上昇させる。シェーバーヘッドＢが洗浄液に浸漬する所定の水位を水位検出センサー１８が検出すると、制御部１４はモーター１５を停止させると共に、シェーバーヘッドＢ内の内刃を駆動させ、シェーバーヘッドＢ内の洗浄を行う。所定の時間、内刃を駆動させ洗浄を行った後、制御部１４はシェーバーヘッドＢの内刃を停止すると共に、モーター１５を逆回転させて、容積変更体１３を所定の位置まで引き上げて洗浄液の水位を低下させる。容積変更体１３が所定の位置まで引き上げられると、送風機１１を駆動してシェーバーヘッドＢに向かって送風し、シェーバーヘッドＢを乾燥する。内刃を停止した後も、電気かみそりＡの充電が終わるまで充電が行われる。
【００３３】
尚、本実施形態では、容積変更体１３として洗浄液よりも比重を小さく形成したが、容積変更体１３として洗浄液よりも比重を大きく形成しても良い。この構成であれば、洗浄液に容積変更体を沈める際の負荷を軽くすることができ、容積変更体１３を洗浄液よりも高い位置で保持する際には、例えば、ラック１７をロックするロック機構を設けることで、容積変更体１３を上昇位置に保持した状態でもモーター１５に負荷がかからないようにすることができる。
【００３４】
この構成によると、貯留槽１２内の洗浄液の水位を上昇させることで、洗浄槽５内の電気かみそりＡのシェーバーヘッドＢを洗浄液内に浸漬することができ、洗浄液の入った槽を移動させる従来技術に比較して、洗浄液が溢れるのを防止することができる。
【００３５】
次に、本発明の第二実施形態について図４に基づいて以下に詳述する。尚、上述した第一実施形態と同一部品は同一符号を附して説明を省略する。
【００３６】
１９は前記カバー２内に装着される洗浄槽で、前記洗浄槽１９の底面に排水口２０と該排水口２０より上方に位置する面に流入口２１とが形成される。前記排水口２０には外側に開く排水弁２２が備えらており、前記排水口２０及び前記排水弁２２は、断面略コ字状の着脱自在のフィルター２３により覆われている。
【００３７】
水位変更手段により、貯留槽１２の水位を流入口２１の高さまで上昇させると、流入口２１から洗浄液が洗浄槽１９内に流入される。尚、排水口２０に備えられた排水弁２２には、洗浄槽１９の外側から内側へ圧力がかかるため、排水口２０は閉じた状態に維持され、フィルター２３内に溜まった毛屑や皮脂が洗浄槽１９内に逆流するのを防止している。
【００３８】
水位変更手段により、貯留槽１２の水位が下がると、洗浄槽１９の水位より貯留槽１２の水位が低くなるため、排水口２０を閉じていた排水弁２２は洗浄槽１９の内側から外側へ圧力がかかることで開き、洗浄槽１９内の洗浄液は排水口２０から排水され、フィルター２３によって洗浄水と共に流出する毛屑や皮脂を濾過する。
【００３９】
この構成によると、洗浄槽１９で洗浄に使用された洗浄液は排水口２０から排水され、フィルター２３を通って濾過され、貯留された洗浄液から毛屑や皮脂を取り除くことができる。
【００４０】
次に、本発明の第三実施形態について図５に基づいて以下に詳述する。尚、上述した第一実施形態及び第二実施形態と同一部品は同一符号を附して説明を省略する。
【００４１】
２４は、前記洗浄槽に形成された流入口２１に備えられた流入弁であり、該流入弁２４は内側に開くように構成されている。
【００４２】
水位変更手段により、貯留槽１２の水位を流入口２１の高さまで上昇させると、流入口２１に備えられた流入弁２４には、洗浄槽１９の外側から内側へ水圧がかかるため、流入弁２４が開き、流入口２１から洗浄液が洗浄槽１９内に流入される。尚、この時、排水弁２２には第二実施形態と同様、洗浄槽１９の外側から内側へ水圧がかかり、排水弁２２は開かないようになっている。また、貯留槽１２の水位が洗浄槽１９の水位より低くなった場合の動作については、第二実施形態と同様となる。
【００４３】
この構成によると、流入口２１に流入弁２４が備えられているため、本発明の電気かみそり洗浄装置が使用されていない状態の時に、流入口２１からゴミなどが混入するのを防止することができる。
【００４４】
次に、本発明の第四実施形態について図６乃至図７に基づいて以下に詳述する。尚、上述した第一実施形態乃至第三実施形態と同一部品は同一符号を附して説明を省略する。
【００４５】
２５は上面に開口と下部に流入接続口２６及び排水接続口２７を有する水槽で、前記流入接続口２６には内側に開く流入弁２４が備えられ、前記排水接続口２７には外側に開く排水弁２２が備えられている。２８は前記水槽２５上面開口に配設され、略上下方向に摺動するピストンで、外周面が前記水槽２５の内周面に水密的に封止するように構成されている。前記ピストン２８上部には、ラック１７が備えられており、上述の第一実施形態乃至第三実施形態と同様に、前記モーター１５の回転によって略上下に移動するようになっている。
【００４６】
２９は一端に前記水槽２５の前記流入接続口２６に接続される流入路で、他端は前記洗浄槽１９の前記流入口２１に接続されている。３０は一端が前記水槽２５の前記排水接続口２７に接続される排水路で、他端は前記洗浄槽１９の前記排水口２０に接続される。
【００４７】
本実施形態の洗浄装置は、まず、ピストン２８を最下位置まで押し下げた状態で、洗浄槽１９内に洗浄液を注入し、その状態でピストン２８を所定位置まで上昇させる。この状態でシェーバーヘッドＢの洗浄が可能な状態となる。
【００４８】
そして、シェーバーヘッドＢを洗浄する際には、ピストン２８が押し下げられ、洗浄液は洗浄槽１９に流入路２９を通って、電気かみそりＡのシェーバーヘッドＢが浸漬されるまで洗浄槽１９に流入する。シェーバーヘッドＢの洗浄終了時には、ピストン２８が引き上げられ、洗浄液は洗浄槽１９からフィルター２３を通って水槽２５へ流出する。
【００４９】
この構成によると、貯留槽を不要とすることができ、他の実施例と比べて、洗浄に使用する洗浄液の量を少なくすることができる。
【００５０】
尚、上記実施形態では、流入弁２４は流入接続口２６に備えられているが、流入路２９内の任意の場所に設置してもよい。同様に、排水弁２２は排水接続口２７に備えられているが、排水路３０内の任意の場所に設置してもよい。また、実施形態では排水接続口２７は水槽２５に備えられているが、流入路２９の流入弁２４の設置された位置よりも水槽２５側の任意の位置に設置してもよい。
【００５１】
また、上述の第一実施形態乃至第三実施形態においては、水位変更手段は、容積変更体１３により構成したが、図８乃至図１２に示すように、第四実施形態と同様に、水位変更手段は前記貯留槽１２に一端が接続された水路３１と、該水路３１の他端に接続され、上面に開口を有する水槽３２と、該水槽３２上面開口に備えられ、前記水槽３２を略上下摺動可能に封止する前記ピストン２８とで構成し、ピストン２８を押し下げることにより水槽３２内の洗浄液を貯留槽１２に供給して貯留槽１２内の洗浄液水位を上昇させ、洗浄槽５または洗浄槽１９内のシェーバーヘッドＢを浸漬するよう構成しても良い。
【００５２】
これらの実施形態では、第四実施形態と同様に、ピストン２８を最下位置まで押し下げた状態で、貯留槽１２内に洗浄液を注入し、その状態でピストン２８を所定位置まで上昇させる。この状態でシェーバーヘッドＢの洗浄が可能な状態となる。
【００５３】
シェーバーヘッドＢの洗浄時に、ピストン２８が押し下げられ、洗浄液は貯留槽１２に水路３１を通って流入し、貯留槽１２に貯留される洗浄液の水量が増加することで水位が上昇する。また、洗浄終了時には、ピストン２８が引き上げられ、洗浄液は貯留槽１２から水路３１へ流入し、貯留槽１２に貯留される洗浄液の水量が減少することで水位が下降する。
【００５４】
洗浄液を廃棄する際には、カバー２を上昇させると、洗浄槽１９が貯留槽１２より上方位置まで上昇すると共に、ピストン２８が水槽２５より上方位置まで上昇する。この状態で、貯留槽１２と水槽２５を引き出して内部の洗浄液を廃棄し、貯留槽１２及び水槽２５内を洗浄して貯留槽１２及び水槽２５を載置台３上に載置してカバー２を下方に押し下げる。
【００５５】
この構成によると、ピストン２８に封止する水槽３２を貯留槽１２と別体に構成しているので、水槽２５を貯留槽１２と離間した任意の位置に配設することができ、設計上、デザイン状の制約を低減することができる。また、小さい面積の水槽３２を用いて貯留槽１２の洗浄液の水位を大きく上昇させることができる。
【００５６】
尚、前記水槽３２封止するピストン２８の代わりに、前記水槽３２を封止しない前記容積変更体１３を前記水槽３２に沈める構成としても良い。
【００５７】
この構成によると、前記水槽３２を封止しなくてよいので、構造をより簡素にすることができる。
【００５８】
また、上述の第一実施形態乃至第四実施形態は、いずれもモーターによる可動部分はすべて本体内に配設されているので、使用者が誤って指を挟む等の虞がなく安全性を向上させることができる。また、水位変更手段としてモーターを使用しているが、常にモーターを稼動させる必要はなく、ポンプを使用する電気かみそり洗浄装置と比べて消費電力は低くなる。
【産業上の利用可能性】
【００５９】
本発明は、ポンプを使わない電気かみそり洗浄装置に広く利用可能である。
【符号の説明】
【００６０】
１    本体
２    カバー
３    載置台
４    支柱
５    洗浄槽
６    洗浄室
７    流出入口
８    保持部
９    挟持部
１０  充電端子
１１  送風機
１２  貯留槽
１３  容積変更体
１４  制御部
１５  モーター
１６  ピニオン
１７  ラック
１８  水位検出センサー
１９  洗浄槽
２０  排水口
２１  流入口
２２  排水弁
２３  フィルター
２４  流入弁
２５  水槽
２６  流入接続口
２７  排水接続口
２８  ピストン
２９  流入路
３０  排水路
３１  水路
３２  水槽
Ａ    電気かみそり
Ｂ    シェーバーヘッド
Ｃ    充電端子部
【図１】
2011072472.tif 000003
【図２】
2011072472.tif 000004
【図３】
2011072472.tif 000005
【図４】
2011072472.tif 000006
【図５】
2011072472.tif 000007
【図６】
2011072472.tif 000008
【図７】
2011072472.tif 000009
【図８】
2011072472.tif 000010
【図９】
2011072472.tif 000011
【図１０】
2011072472.tif 000012
【図１１】
2011072472.tif 000013
【図１２】
2011072472.tif 000014